(57)【要約】【課題】改善された冷却可能性を有するステータリングを提供する。【解決手段】本発明は、ステータ巻線を受容するための多数の溝部（１７）と、磁気ヨークとを備えた、風力発電装置のための発電機用のリングステータに関する。ここでステータヨークの領域には、冷却空気で付勢可能な冷却路（１９）のセット（１５）が複数設けられており、ステータは、軸方向において積層された多数のステータ薄板から成り、また冷却路は、軸方向において、全てのステータ薄板を通じて延在する。【選択図】図６
2018524965.tif 000002
【特許請求の範囲】
【請求項１】
発電機（１）用のステータリング（１６）、特に風力発電装置（１００）の同期発電機ないし環状発電機用のステータリング（１６）であって、
ステータ巻線（Ｗ）を受容するための多数の溝部（１７）と、
磁気ヨーク（Ｊ）とを備える構成であり、
前記ステータリングは、前記磁気ヨークの領域において、冷却空気が通流可能な複数の冷却穴（１９）を有し、更に前記ステータリングは、前記ステータリングの軸方向において相前後して積層された多数のステータ薄板（１６ａ〜ｎ）を有し、前記冷却穴は、全ての前記ステータ薄板を通じて延在すること
を特徴とするステータリング（１６）。
【請求項２】
前記冷却穴（１９）の１つ、複数、又は全てにおいて、表面拡大のための冷却フィン（２１）が構成されていること
を特徴とする、請求項１に記載のステータリング（１６）。
【請求項３】
前記冷却穴（１９）は、長穴として構成されていること
を特徴とする、請求項１又は２に記載のステータリング（１６）。
【請求項４】
少なくとも２つの冷却穴（１９）は、条片部（２０）により互いに分離されていること
を特徴とする、請求項１〜３のいずれか一項に記載のステータリング（１６）。
【請求項５】
前記ステータリングは、条片部（２０）により互いに分離された各々少なくとも２つの冷却穴（１９）から成るセット（１５）を複数有すること
を特徴とする、請求項４に記載のステータリング（１６）。
【請求項６】
冷却穴（１９）の２つのセット（１５）の間の間隔（２５）は、１つのセット（１５）内で隣接する２つの冷却穴（１９）の間の間隔（２３）よりも大きいこと
を特徴とする、請求項５に記載のステータリング（１６）。
【請求項７】
前記冷却穴（１９）は、周方向において前記溝部（１７）に対してずらされて配設されていること
を特徴とする、請求項１〜６のいずれか一項に記載のステータリング（１６）。
【請求項８】
前記冷却穴（１９）の表面は、前記冷却穴内の乱流の形成が促進されるように輪郭形成されていること
を特徴とする、請求項１〜７のいずれか一項に記載のステータリング（１６）。
【請求項９】
発電機（１）、特に風力発電装置（１００）の同期発電機ないし環状発電機であって、
ロータ（５）とステータ（３）を備え、前記ステータは、ステータリング（１６）を有する構成であり、
前記ステータリング（１６）は、請求項１〜８のいずれか一項により構成されていること
を特徴とする発電機（１）。
【請求項１０】
前記ロータ（５）は、内側回転子として構成されていること
を特徴とする、請求項９に記載の発電機。
【請求項１１】
前記ロータは、外側回転子として構成されていること
を特徴とする、請求項９に記載の発電機。
【請求項１２】
発電機（１）、特に同期発電機ないし環状発電機を備えた風力発電装置（１００）、特にギアレス風力発電装置であって、
前記発電機（１）は、請求項９〜１１のいずれか一項により構成されていること
を特徴とする風力発電装置（１００）。
【請求項１３】
ステータリング（１６）の冷却穴を通じて冷却空気流を発生させるために、モータ駆動式、好ましくは電気モータ駆動式の少なくとも１つのファンを有すること
を特徴とする、請求項１２に記載の風力発電装置（１００）。
【発明の詳細な説明】
【技術分野】
【０００１】
本発明は、発電機用のステータリング、特に風力発電装置の同期発電機（シンクロナスジェネレータ）ないし環状発電機（リングジェネレータ）用のステータリングに関する。また本発明は、そのような同期発電機ないし環状発電機に関する。更に本発明は、そのような発電機を備えた風力発電装置に関する。
【背景技術】
【０００２】
前述の形式のステータリングは、基本的に既知である。それらのステータリングは、通常、ステータ巻線を受容するための多数の溝部を有し、ステータ巻線には、ステータ巻線に沿って回転するロータにより電力が誘導される。ステータリングは、典型的には、溝部を支持する部分に隣接してステータリングが磁気ヨーク（磁気継鉄）を有するように構成されている。内側回転子（インナロータ）用のステータリングでは、磁気ヨークは、半径方向において、溝部が設けられている領域の外側にある。外側回転子（アウタロータ）用のステータリングでは、磁気ヨークは、それに対応して逆の構成となる。この際、それらの溝部は、半径方向において磁気ヨークの外側にある。
【０００３】
電力の誘導の結果、前述の形式の発電機、特にステータリングには、熱が発生することになる。それに起因する出力損失をできるだけ僅かに保つために、効率的な熱排出は、追求するに値することである。
【０００４】
従来技術から、熱をステータリングから直接的にも排出させる様々な試みが知られている。例えば下記特許文献１は、複数の穴に固定的に密着させるために、ステータリングを通じて延在し且つ液圧的に拡開される複数の管材の使用を示しており、このことは、より良い熱伝達をもたらすとされている。
【先行技術文献】
【特許文献】
【０００５】
【特許文献１】EP 2 419 991 B1（WO 2010/118792 A1）
【特許文献２】WO 2010/040659 A2
【発明の概要】
【発明が解決しようとする課題】
【０００６】
例えば前述の形式による冷却は、実際には全般的に機能する能力があるとされるが、要求される装置上の手間や、管材を取り付けるため並びに管材を拡開するために必要な時間手間は、欠点と見なされる。更に幾つかの発電機タイプにおいては、液体冷却の代わりに空気冷却で動作する可能性がある。
【０００７】
空気冷却の原理は、例えば上記特許文献２から既知である。そこでは、ステータリングの外側支持構造体において半径方向に吹き付けられる多数の冷却路を設けることが提案され、これらの冷却路は、空気流を提供するための過圧又は負圧を有する圧力空間を作るためにステータ鐘形部材と協働する。そこで紹介されている冷却コンセプトは、その機能方式に関して満足するものとされるが、それに加え、冒頭に記載した形式の発電機及びステータにおける冷却能力を更に改善するという要求がある。
【０００８】
従って本発明の基礎となる課題は、改善された冷却可能性を有するステータリングを提供することである。
【課題を解決するための手段】
【０００９】
本発明は、本発明の基礎となる前記課題を、冒頭に記載した形式のステータリングにおいて、ステータリングが請求項１の特徴を用いて構成されていることにより解決する。
【発明を実施するための形態】
【００１０】
以下、発明を実施するための形態について説明する。
【００１１】
上記のように、ステータリングは、ステータ巻線を受容するための多数の溝部、並びにこれらの溝部に隣接して磁気ヨークを有し、この際、ステータリングは、磁気ヨークの領域において、冷却空気が通流可能な複数の冷却穴を有し、更にステータリングは、ステータリングの軸方向において相前後して積層された多数のステータ薄板を有し、冷却穴は、全てのステータ薄板を通じて延在する。
【００１２】
磁気ヨークは、好ましくは、溝部に直接的に隣接する第１領域と、半径方向において更に外側に位置する第２領域とを有し、第２領域は、拡張磁気ヨークと称される。有利な一実施形態において、冷却穴は、その拡張磁気ヨーク内に配設されている。
【００１３】
本発明は、熱が発生するところで最も効率的に熱排出が行われるという認識を利用している。
【００１４】
熱排出の比較的高い効率は、特に本発明の有利な更なる構成から得られる妨害部（ないし乱れ部：空気の流れを乱す部分のこと；Stoerungen）により甘受される出力損失を補償する。
【００１５】
本発明は、冷却穴の１つ、複数、又は全てにおいて、表面拡大のための冷却フィン（冷却リブ）が構成されていることにより、有利に更に構成される。
【００１６】
有利な一実施形態において、冷却穴は、長穴として構成されている。好ましくは、長穴の長手側は、ステータリングの半径方向に延在する。長穴は、本発明の意味において、端部が半円形状に構成されていない穴としても理解される。従って長穴としては、場合により丸められた角部を有する、矩形の横断面を有する穴も、該当する。
【００１７】
好ましくは、多数の冷却穴の少なくとも２つの冷却穴は、条片部（帯状部ないしウェブ）により互いに分離されており、ステータリングの周方向における条片部の厚さは、好ましくは、周方向における冷却穴の内側寸法と同じか又はそれよりも小さい。従ってこのようにサイズ決定された条片部は、その支持機能に追加し、冷却フィンとしても機能する。
【００１８】
好ましい一実施形態において、ステータリングは、条片部により互いに分離された各々少なくとも２つの冷却穴から成るセットを複数有する。有利な選択的な実施形態において、好ましくは、１つのセットは、各３番目の溝部のために（即ち３つの溝部ごとに）設けられているか、又は特に好ましくは、１つのセットは、各２番目の溝部のために設けられているか、又は代替的に、特に好ましくは、１つのセットは、各溝部のために設けられている。
【００１９】
冷却穴の２つのセットの間の間隔は、好ましくは、１つのセット内で隣接する２つの冷却穴の間の間隔よりも大きい。
【００２０】
ステータリングの周方向において１つのセット内の２つの冷却穴の間の条片部の最大厚は、好ましくは、周方向における冷却穴の内側寸法と同じか又はそれよりも小さい。
【００２１】
ステータリングの更に好ましい一実施形態において、冷却穴は、周方向において溝部に対してずらされて配設されている（即ち半径方向のそれらの延在方向が重ならないということ）。溝部に対して相対的に冷却穴をずらして配設することは、冷却穴のサイジングが十分に大きい場合には、極めて均等な熱流をもたらす。
【００２２】
ステータリングの好ましい一実施形態において、冷却穴の表面（内壁面）は、冷却穴内の乱流の形成が促進されるように輪郭形成されている。冷却穴内に乱れた空気の流れを形成することは、空気から冷却穴の表面への熱伝達の増加をもたらす。好ましくは、前記輪郭は、相前後して積層された複数のステータ薄板を有する実施形態において、隣接するステータ薄板の間における冷却穴の半径方向及び／又は周方向のずれを用いて形成される。このずれに基づき、冷却穴の表面は、技術的に見ると、ざらざらに（凹凸を有するように）形成されている。
【００２３】
本発明は、更なる一視点において、ロータとステータを備えた発電機、特に風力発電装置の同期発電機ないし環状発電機に関し、この際、ステータは、ステータリングを有する。本発明は、この視点により、本発明の基礎となる冒頭に記載した課題を、ステータリングが前述の有利な実施形態の１つにより構成されていることにより解決する。
【００２４】
発電機の第１の有利な実施形態において、ロータは、内側回転子（インナロータ）として構成されている。本発明の第２の有利な実施形態において、発電機のロータは、外側回転子（アウタロータ）として構成されている。
【００２５】
本発明は、更なる一視点において、発電機、特に同期発電機ないし環状発電機を備えた風力発電装置、特にギアレス風力発電装置に関する。本発明は、そのような風力発電装置において、本発明の基礎となる課題を、発電機が本明細書に記載された有利な実施形態の１つにより構成されていることにより解決する。
【００２６】
好ましくは、風力発電装置は、ステータリングの冷却穴を通じて冷却空気流を発生させるために、モータ駆動式、好ましくは電気モータ駆動式の少なくとも１つのファンを有する。
【００２７】
以下、添付の図面に関連し、有利な実施例に基づいて本発明を詳細に説明する。
【図面の簡単な説明】
【００２８】
【図１】一風力発電装置を模式的に斜視図として示す図である。
【図２】図１による風力発電装置のナセルを模式的に斜視断面図として示す図である。
【図３】図１及び図２による風力発電装置のステータの模式的な簡略斜視図を示す図である。
【図４】図３によるステータの模式的な部分断面図を示す図である。
【図４ａ】磁気ヨークに該当する図４の一部分を示す図である。
【図５】第１実施例のための図４の模式的な部分詳細図を示す図である。
【図６】第２実施例のための図４の模式的な部分詳細図を示す図である。
【図７】図６のＡ-Ａ線に沿った断面図を示す図である。
【実施例】
【００２９】
図１は、タワー１０２とナセル１０４を備えた風力発電装置１００を示している。ナセル１０４には、３つのロータブレード１０８と１つのスピナ１１０とを備えたロータ１０６が配設されている。ロータ１０６は、運転時には風力により回転運動を行い、それによりナセル１０４内の発電機１（図２）を駆動する。
【００３０】
図２には、ナセル１０４が示されている。ナセル１０４は、回転可能にタワー１０２に取り付けられており、方位駆動部（アジマス駆動部）７を用いて周知の方式で駆動されるように連結されている。更に周知の方式でナセル１０４には、機械支持体９が配設されており、機械支持体９は、同期発電機１を保持している。同期発電機１は、本発明に従って構成されており、特に低速回転する多極式の同期環状発電機（シンクロナスリングジェネレータ）である。同期発電機１は、ステータ３と、その内側で回転するロータ５を有し、ロータ５は、回転子とも称される。ロータないし回転子５は、ロータハブ１３と結合されており、ロータハブ１３は、風力により引き起こされるロータブレード１０８の回転運動を同期発電機１へ伝達する。
【００３１】
図３は、ステータ３を単独で示している。ステータ３は、内周面１８を備えたステータリング１６を有する。内周面１８には、多数の溝部１７が設けられており、これらの溝部１７は、導体束の形式のステータ巻線を受容するために構成されている。
【００３２】
図４の横断面図から見てとれるように、ステータ３のステータリング１６は、第１半径方向領域Ｗにおいてステータ巻線を有する。ステータ巻線は、導体束１２の形式で、内周面１８から延在する複数の溝部１７内に格納されている。第１半径方向領域Ｗに隣接して磁気ヨーク（磁気継鉄）Ｊが構成されている。ステータリング１６の内側で回転方向Ｕに運動するロータ５により示唆された内側回転子（インナロータ）を有する図示の発電機１では、磁気ヨークＪは、半径方向において、ステータ巻線を有する第１半径方向領域Ｗの外側に配設されている。外側回転子（アウタロータ：非図示）を有する代替的な同様に本発明による発電機では、ロータは、半径方向においてステータの外側で回転し、従って磁気ヨークは、半径方向において、ステータ巻線の領域の内側で当該領域に隣接して配設されるであろう。追加的な図示は、ここでは図面の見易さのために省略する。図４においてステータ３とロータ５の間には、空隙Ｓが構成されている。
【００３３】
磁気ヨークＪの領域には、ステータリング１６内に冷却穴１９（図５、６を参照）のセット１５が複数構成されている。冷却穴１９の１つのセット１５は、１つ又は複数の冷却穴を含むことができる。１つの溝部、２つの溝部、３つの溝部、４つの溝部、又は４つよりも多くの溝部のために、各々、冷却穴の１つのセットを設けることができる。
【００３４】
図４ａにおける模式的な部分図は、磁気ヨークＪを、第１領域Ｊ１と、半径方向外側に続く第２領域Ｊ２とに分割して見ることができることを示している。第２領域Ｊ２は、拡張磁気ヨークと理解される。冷却穴は、好ましくは第２領域Ｊ２に配設されている。本実施例（図４、図４ａ）では、一例として、冷却穴１９の１つのセット１５が、各々３つの溝部１７に割り当てられている。
【００３５】
図５と図６は、本発明の様々な詳細を、各々互いに独立して示している。しかし本発明の意味において、複数の実施例のうち１つだけに各々示されている個々の特徴は、他の実施例の特徴とも組み合わせ可能であることが前提とされる。図５と図６では、ステータリング１６の湾曲構成は示されていない。図示された詳細は、内側回転子を備えた発電機にも、外側回転子を備えた発電機にも有効である。
【００３６】
先ず図５には、２つの冷却穴１９から成る１つのセット１５が示されている。これらの冷却穴１９は、周方向において互いに離間され、溝部１７に対してずらされて配設されている（即ち半径方向のそれらの延在方向が重ならないということ）。図５による冷却穴１９の各々は、多数の冷却フィン（冷却リブ）２１を有する。
【００３７】
図６には、各々２つの冷却穴１９を有する全部で３つのセット１５が示されており、この際、各セット１５は、１つの溝部１７に割り当てられている。これらのセット１５の冷却穴１９は、これらに各々割り当てられた溝部１７に対して（周方向において）ずらされていない。
【００３８】
各々のセット１５内の２つの冷却穴１９は、薄い条片部（帯状部ないしウェブ）２０により互いに離間されている。条片部２０は、その最も幅広の箇所において厚さ２３（幅２３）を有し、厚さ２３は、隣接するセット１５の（直接的に隣接する）冷却穴１９の間の間隔２５よりも小さい。好ましくは、各々の条片部２０の幅２３は、冷却穴１９の１つにおける周方向の幅よりも小さいか又はそれと同じである。
【００３９】
図７には、図６のＡ-Ａ線に沿った矢視断面が図示されている。ステータ積層鉄心（Statorblechpaket）１６ａ、ｂ、ｃ、ｄ、ｅ、ｆ、．．．、ｎは、冷却穴１９の内側表面が（凹凸をもって）ざらざらにされているように、半径方向において互いにずらされている。ずれ２７は、僅かであってよい。既に数ミリメートルのずれが、冷却穴１９内の冷却空気とステータ薄板１６ａ〜ｎとの間の熱交換を促進する。そのような構成のためには、ステータ薄板が全体的に互いにずらされる必要はない。個々のステータ薄板１６ａ〜ｎを通じて延在する各々の冷却穴１９ａ〜ｎが互いに僅かにずらされているだけで、十分である。
【００４０】
上述の内容から明らかであるように、図５による冷却穴１９は、平滑な壁部をもつように構成することもできる。同様に図６による冷却穴１９には、冷却フィンを備えることができるであろう。また冷却穴１９の１つのセット１５内には、２つよりも多くの冷却穴を設けることも可能であり、また冷却穴１９の１つのセット１５は、図５及び図６とは異なる数の溝部１７に割り当てることも可能である。
【符号の説明】
【００４１】
１            発電機（同期発電機）
３            ステータ（固定子）
５            ロータ（回転子）
７            方位駆動部（アジマス駆動部）
９            機械支持体
１２          導体束
１３          ロータハブ
１５          冷却穴のセット
１６          ステータリング
１６ａ〜ｎ    ステータ薄板（ステータ積層鉄心を構成）
１７          溝部
１８          内周面
１９          冷却穴
１９ａ〜ｎ    冷却穴
２０          条片部（帯状部ないしウェブ）
２１          冷却フィン
２３          条片部の厚さ（最も幅広の箇所）
２５          冷却穴の間の間隔（セット間）
２７          冷却穴の内側表面のずれ
Ｊ            磁気ヨーク（磁気継鉄）
Ｊ１          磁気ヨークの第１領域
Ｊ２          磁気ヨークの第２領域
Ｓ            空隙
Ｕ            ロータの回転方向
Ｗ            第１半径方向領域
１００        風力発電装置
１０２        タワー
１０４        ナセル
１０６        ロータ
１０８        ロータブレード
１１０        スピナ
【図１】
2018524965.tif 000003
【図２】
2018524965.tif 000004
【図３】
2018524965.tif 000005
【図４−４ａ】
2018524965.tif 000006
【図５】
2018524965.tif 000007
【図６】
2018524965.tif 000008
【図７】
2018524965.tif 000009
【手続補正書】
【提出日】平成30年3月2日(2018.3.2)
【手続補正２】
【補正対象書類名】特許請求の範囲
【補正対象項目名】全文
【補正方法】変更
【補正の内容】
【特許請求の範囲】
【請求項１】
発電機用のステータリング、又は風力発電装置の同期発電機ないし環状発電機用のステータリングであって、
ステータ巻線（Ｗ）を受容するための多数の溝部（１７）と、
磁気ヨーク（Ｊ）とを備える構成であり、
前記ステータリングは、前記磁気ヨークの領域において、冷却空気が通流可能な複数の冷却穴（１９）を有し、更に前記ステータリングは、前記ステータリングの軸方向において相前後して積層された多数のステータ薄板（１６ａ〜ｎ）を有し、前記冷却穴は、全ての前記ステータ薄板を通じて延在すること、及び、
前記冷却穴（１９）の表面は、前記冷却穴内の乱流の形成が促進されるように輪郭形成されていること
を特徴とするステータリング。
【請求項２】
前記冷却穴（１９）の１つ、複数、又は全てにおいて、表面拡大のための冷却フィン（２１）が構成されていること
を特徴とする、請求項１に記載のステータリング。
【請求項３】
前記冷却穴（１９）は、長穴として構成されていること
を特徴とする、請求項１又は２に記載のステータリング。
【請求項４】
少なくとも２つの冷却穴（１９）は、条片部（２０）により互いに分離されていること
を特徴とする、請求項１〜３のいずれか一項に記載のステータリング。
【請求項５】
前記ステータリングは、条片部（２０）により互いに分離された各々少なくとも２つの冷却穴（１９）から成るセット（１５）を複数有すること
を特徴とする、請求項４に記載のステータリング。
【請求項６】
冷却穴（１９）の２つのセット（１５）の間の間隔（２５）は、１つのセット（１５）内で隣接する２つの冷却穴（１９）の間の間隔（２３）よりも大きいこと
を特徴とする、請求項５に記載のステータリング。
【請求項７】
前記冷却穴（１９）は、周方向において前記溝部（１７）に対してずらされて配設されていること
を特徴とする、請求項１〜６のいずれか一項に記載のステータリング。
【請求項８】
発電機、又は風力発電装置の同期発電機ないし環状発電機であって、
ロータ（５）とステータ（３）を備え、前記ステータは、ステータリング（１６）を有する構成であり、
前記ステータリング（１６）は、請求項１〜７のいずれか一項に記載したステータリングにより構成されていること
を特徴とする発電機。
【請求項９】
前記ロータ（５）は、内側回転子として構成されていること
を特徴とする、請求項８に記載の発電機。
【請求項１０】
前記ロータは、外側回転子として構成されていること
を特徴とする、請求項８に記載の発電機。
【請求項１１】
発電機、又は同期発電機ないし環状発電機を備えた風力発電装置、又はギアレス風力発電装置であって、
前記発電機（１）は、請求項８〜１０のいずれか一項に記載した発電機により構成されていること
を特徴とする風力発電装置。
【請求項１２】
ステータリング（１６）の冷却穴を通じて冷却空気流を発生させるために、モータ駆動式、又は電気モータ駆動式の少なくとも１つのファンを有すること
を特徴とする、請求項１１に記載の風力発電装置。
【手続補正３】
【補正対象書類名】明細書
【補正対象項目名】０００９
【補正方法】変更
【補正の内容】
【０００９】
本発明は、本発明の基礎となる前記課題を、冒頭に記載した形式のステータリングにおいて、ステータリングが請求項１の特徴を用いて構成されていることにより解決する。
即ち本発明の第１の視点により、発電機用のステータリング、又は風力発電装置の同期発電機ないし環状発電機用のステータリングであって、ステータ巻線を受容するための多数の溝部と、磁気ヨークとを備える構成であり、前記ステータリングは、前記磁気ヨークの領域において、冷却空気が通流可能な複数の冷却穴を有し、更に前記ステータリングは、前記ステータリングの軸方向において相前後して積層された多数のステータ薄板を有し、前記冷却穴は、全ての前記ステータ薄板を通じて延在すること、及び、前記冷却穴の表面は、前記冷却穴内の乱流の形成が促進されるように輪郭形成されていることを特徴とするステータリングが提供される。
更に本発明の第２の視点により、発電機、又は風力発電装置の同期発電機ないし環状発電機であって、ロータとステータを備え、前記ステータは、ステータリングを有する構成であり、前記ステータリングは、前記第１の視点に記載したステータリングにより構成されていることを特徴とする発電機が提供される。
更に本発明の第３の視点により、発電機、又は同期発電機ないし環状発電機を備えた風力発電装置、又はギアレス風力発電装置であって、前記発電機は、前記第２の視点に記載した発電機により構成されていることを特徴とする風力発電装置が提供される。
尚、本願の特許請求の範囲において付記された図面参照符号は、専ら本発明の理解の容易化のためのものであり、図示の形態への限定を意図するものではないことを付言する。
【手続補正４】
【補正対象書類名】明細書
【補正対象項目名】００１０
【補正方法】変更
【補正の内容】
【００１０】
本発明において、以下の形態が可能である。
（形態１）発電機用のステータリング、特に風力発電装置の同期発電機ないし環状発電機用のステータリングであって、ステータ巻線を受容するための多数の溝部と、磁気ヨークとを備える構成であり、前記ステータリングは、前記磁気ヨークの領域において、冷却空気が通流可能な複数の冷却穴を有し、更に前記ステータリングは、前記ステータリングの軸方向において相前後して積層された多数のステータ薄板を有し、前記冷却穴は、全ての前記ステータ薄板を通じて延在すること。
（形態２）前記ステータリングにおいて、前記冷却穴の１つ、複数、又は全てにおいて、表面拡大のための冷却フィンが構成されていることが好ましい。
（形態３）前記ステータリングにおいて、前記冷却穴は、長穴として構成されていることが好ましい。
（形態４）前記ステータリングにおいて、少なくとも２つの冷却穴は、条片部により互いに分離されていることが好ましい。
（形態５）前記ステータリングにおいて、前記ステータリングは、条片部により互いに分離された各々少なくとも２つの冷却穴から成るセットを複数有することが好ましい。
（形態６）前記ステータリングにおいて、冷却穴の２つのセットの間の間隔は、１つのセット内で隣接する２つの冷却穴の間の間隔よりも大きいことが好ましい。
（形態７）前記ステータリングにおいて、前記冷却穴は、周方向において前記溝部に対してずらされて配設されていることが好ましい。
（形態８）前記ステータリングにおいて、前記冷却穴の表面は、前記冷却穴内の乱流の形成が促進されるように輪郭形成されていることが好ましい。
（形態９）発電機、特に風力発電装置の同期発電機ないし環状発電機であって、ロータとステータを備え、前記ステータは、ステータリングを有する構成であり、前記ステータリングは、形態１〜８のいずれか一つにより構成されていること。
（形態１０）前記発電機において、前記ロータは、内側回転子として構成されていることが好ましい。
（形態１１）前記発電機において、前記ロータは、外側回転子として構成されていることが好ましい。
（形態１２）発電機、特に同期発電機ないし環状発電機を備えた風力発電装置、特にギアレス風力発電装置であって、前記発電機は、形態９〜１１のいずれか一つにより構成されていること。
（形態１３）前記風力発電装置において、ステータリングの冷却穴を通じて冷却空気流を発生させるために、モータ駆動式、好ましくは電気モータ駆動式の少なくとも１つのファンを有することが好ましい。
【国際調査報告】
2018524965.tif 000010
2018524965.tif 000011
2018524965.tif 000012
2018524965.tif 000013